(57)【要約】【課題】電力変換装置などに使用するアルミ電解コンデンサの取り付けを簡単にすると共に、当該アルミ電解コンデンサの取り付け具の保管スペースを縮小することにある。【解決手段】両端に別個の孔１２，１３を開口している細長い板状の第１取り付け具１１と、アルミ電解コンデンサ１の胴体をこの第１取り付け具１１で巻いた状態で前記２つの孔１２，１３とコンデンサ設置板１５とを同時に締めつける取り付けねじ１４を備える。第２取り付け具２１は、両端に別個の孔２２，２３を開口すると共にその両側のコンデンサ設置板２５と接触する位置に突出部２４を設ける。この突出部２４をほぼ直角に２回の折り曲げを加工する。前記コンデンサ設置板２５の前記突出部２４に対応する位置に、この突出と折り曲げに適合した長方形の２つの角孔２７を開口する。【選択図】　　　　図５
2004128326.tif 000002
【特許請求の範囲】
【請求項１】
一方の端に第１の孔を開口し、他方の端に第２の孔を開口している細長い板状の取り付け具と、アルミ電解コンデンサの胴体をこの取り付け具で巻いた状態で前記２つの孔とコンデンサ設置板とを同時に締めつける取り付けねじと、を備えることを特徴とするアルミ電解コンデンサ取り付け具。
【請求項２】
請求項１に記載のアルミ電解コンデンサ取り付け具において、
前記取り付け具が前記取り付けねじを中心にして回転するのを妨げる回り止めと、該取り付け具が前記コンデンサ設置板から部分的に離れるのを妨げる離れ止めとを備えることを特徴とするアルミ電解コンデンサ取り付け具。
【請求項３】
請求項１または請求項２に記載のアルミ電解コンデンサ取り付け具において、
前記取り付け具はその両側の前記コンデンサ設置板と接触する位置を突出させ、該突出部をほぼ直角に折り曲げる第１の折り曲げ部と、該第１折り曲げ部を更にほぼ直角に折り曲げる第２の折り曲げ部を加工し、前記コンデンサ設置板の前記第１の折り曲げ部に対応する位置に、この第１と第２折り曲げ部に適合した長方形の孔を開口することを特徴とするアルミ電解コンデンサ取り付け具。
【発明の詳細な説明】
【０００１】
【発明の属する技術分野】
この発明は電力変換装置などに使用するアルミ電解コンデンサの取り付け具に関する。
【０００２】
【従来の技術】
インバータ装置などの電力変換装置は、その直流側に大きな静電容量を有するコンデンサを備える必要がある。コンデンサにはいろいろな種類があるが、この用途にはアルミ電解コンデンサが最も適しているので、多用されている。アルミ電解コンデンサは一般に円筒形であり、端子をその一方の底面に備える構造にすることが多い。この構造のアルミ電解コンデンサを取り付けるために、従来は特別の取り付け具を使用する（例えば、特許文献１参照）。この特許文献１に記載の従来例の概略を、以下の図６に図示して説明する。
【０００３】
図６は電力変換装置へアルミ電解コンデンサを組み込む際の取り付け状況の従来例を示した構造図であって、アルミ電解コンデンサ１に適合した形状の丸孔を取り付け板金３に開口して、この丸孔にアルミ電解コンデンサ１を落とし込む。取り付け金具２をアルミ電解コンデンサ１の胴体に装着し、金具締め付けねじ４により、この取り付け金具２はアルミ電解コンデンサ１の胴体に締め付けられる。さらにこの取り付け金具２は、金具取り付けねじ５で取り付け板金３に取り付けられる。
【０００４】
【特許文献１】
特開２０００−６０１３４号公報（図１）
【０００５】
【発明が解決しようとする課題】
アルミ電解コンデンサ１の端子には断面積が大きい導体が接続される。それ故端子が常に同じ場所に位置するようにする必要があるから、取り付け金具２をアルミ電解コンデンサ１に取り付ける際には治具を使用して、端子の高さと角度が常に一定するようにしているが、これには手間がかかる。また、図６に図示の従来例ではねじ止めが３ヵ所になるし、取り付け金具２の外周には金具取り付けねじ５の部分が突出しているので、アルミ電解コンデンサ１の取り付けにあたっては、この部分に余分なスペースが必要となる。更に、多数の取り付け金具２を積み重ねて保管するのが困難なために大きな保管スペースが必要になるなどの欠点があった。
【０００６】
そこでこの発明の目的は、電力変換装置などに使用するアルミ電解コンデンサの取り付けを簡単にすると共に、当該アルミ電解コンデンサの取り付け具の保管スペースを縮小することにある。
【０００７】
【課題を解決するための手段】
前記の目的を達成するために、この発明におけるアルミ電解コンデンサ取り付け具は、
一方の端に第１の孔を開口し、他方の端に第２の孔を開口している細長い板状の取り付け具と、アルミ電解コンデンサの胴体をこの取り付け具で巻いた状態で前記２つの孔とコンデンサ設置板とを同時に締めつける取り付けねじと、を備える。
【０００８】
前記取り付け具には、前記取り付けねじを中心にして回転するのを妨げる回り止めと、該取り付け具が前記コンデンサ設置板から部分的に離れるのを妨げる離れ止めとを備える。
【０００９】
前記取り付け具は、その両側の前記コンデンサ設置板と接触する位置を突出させ、該突出部をほぼ直角に折り曲げる第１の折り曲げ部と、該第１折り曲げ部を更にほぼ直角に折り曲げる第２の折り曲げ部を加工し、前記コンデンサ設置板の前記第１の折り曲げ部に対応する位置に、この第１と第２折り曲げ部に適合した長方形の孔を開口する。
【００１０】
【発明の実施の形態】
図１は本発明によるアルミ電解コンデンサ取り付け具の第１実施例を表した構造図であって、細長い板状の第１取り付け具１１の両端に孔１２，１３が開口している。
【００１１】
図２は図１に図示の第１取り付け具を使ってアルミ電解コンデンサを電力変換装置に取り付けた状態を表した構造図であって、取り付けねじ１４をねじ締めすることで、第１取り付け具１１がアルミ電解コンデンサ１の胴体を締め付けるのであるが、これと同時にこの第１取り付け具１１をコンデンサ設置板１５に固定している。
【００１２】
図３は本発明によるアルミ電解コンデンサ取り付け具の第２実施例を表した構造図であって、細長い板状の第２取り付け具２１の両端に孔２２，２３を開口しているが、更にコンデンサ設置板２５と接触する部分の両側に突出部２４を備えており、この突出部２４は２回の直角曲げの加工を施している。
【００１３】
図４は図３に図示の第２取り付け具を電力変換装置に使う際のコンデンサ設置板の状態を表した構造図であって、コンデンサ設置板２５には取り付けねじ１４用の丸孔（またはねじ孔）２６と、第２取り付け具２１の両端の突出部２４が挿入される２つの角孔２７が開口している。
【００１４】
図５は図３に図示の第２取り付け具を図４に図示のコンデンサ設置板に載せた状態を表した構造図であって、第２取り付け具２１の両端の突出部２４はコンデンサ設置板２５に設けた角孔２７に挿入されているが、この突出部２４は２回の直角曲げ加工が施されているので、角孔２７からは簡単には抜けない。すなわちこの第２取り付け具２１を使ってアルミ電解コンデンサ１を取り付けた場合に、第２取り付け具２１が取り付けねじ１４を中心にして回転するのを防止すると共に、このアルミ電解コンデンサ１がコンデンサ設置板２５から浮き上がるのを防いでいる。
【００１５】
なお、アルミ電解コンデンサ１の重心部を前述の各取り付け具で締め付ければ安定するし、端子位置も一定となる。
【００１６】
【発明の効果】
電力変換装置に使用しているアルミ電解コンデンサは、従来はコンデンサ設置板に落とし込んでいたので、当該アルミ電解コンデンサの端子を所定の場所に位置させるのに治具を使用するなどで、手間と費用がかかっていた。また、ねじ締め箇所が多いことや、当該アルミ電解コンデンサの取り付け金具を保管するのに大きなスペースが必要になるなどの不都合があった。これに対して本発明では、アルミ電解コンデンサのコンデンサ設置板への取り付けを１つのねじで賄うことができるし、アルミ電解コンデンサの重心位置に取り付け具を巻き付ければよいので、端子位置は一定するし、取り付けの手間も簡略できる効果が得られる。更にアルミ電解コンデンサの取り付け具がほぼ平板状であるため、これを保管するスペースを縮小できる効果も併せて得られる。
【図面の簡単な説明】
【図１】本発明によるアルミ電解コンデンサ取り付け具の第１実施例を表した構造図
【図２】図１に図示の第１取り付け具を使ってアルミ電解コンデンサを電力変換装置に取り付けた状態を表した構造図
【図３】本発明によるアルミ電解コンデンサ取り付け具の第２実施例を表した構造図
【図４】図３に図示の第２取り付け具を電力変換装置に使う際のコンデンサ設置板の状態を表した構造図
【図５】図３に図示の第２取り付け具を図４に図示のコンデンサ設置板に載せた状態を表した構造図
【図６】電力変換装置へアルミ電解コンデンサを組み込む際の取り付け状況の従来例を示した構造図
【符号の説明】
１　　　　　　　　　　アルミ電解コンデンサ
２　　　　　　　　　　取り付け金具
３　　　　　　　　　　取り付け板金
４　　　　　　　　　　金具締め付けねじ
５　　　　　　　　　　金具取り付けねじ
１１　　　　　　　　　　第１取り付け具
１２，１３，２２，２３　孔
１４　　　　　　　　　　取り付けねじ
１５，２５　　　　　　　コンデンサ設置板
２１　　　　　　　　　　第２取り付け具
２４　　　　　　　　　　突出部
２６　　　　　　　　　　丸孔（またはねじ孔）
２７　　　　　　　　　　角孔
【図１】
2004128326.tif 000003
【図２】
2004128326.tif 000004
【図３】
2004128326.tif 000005
【図４】
2004128326.tif 000006
【図５】
2004128326.tif 000007
【図６】
2004128326.tif 000008